【手続補正書】
【提出日】平成25年11月13日(2013.11.13)
【手続補正１】
【補正対象書類名】特許請求の範囲
【補正対象項目名】全文
【補正方法】変更
【補正の内容】
【特許請求の範囲】
【請求項１】
放射線撮影装置と、
放射線発生装置と対応付けられたエントリー装置と、
前記放射線発生装置と、近接無線通信接続を介して前記エントリー装置から送信された情報に基づいて無線ＬＡＮと接続している前記放射線撮影装置と、を制御する制御手段と、を備え、
前記エントリー装置は、前記近接無線通信接続を介して前記放射線撮影装置から受信された要求に応じて、前記放射線撮影装置を前記無線ＬＡＮへ接続するために、前記近接無線通信接続を介して前記放射線撮影装置へ前記情報を送信するように構成され、
前記近接無線通信接続は、前記無線ＬＡＮの通信範囲よりも短い通信範囲を有し、
前記制御手段と前記エントリー装置とは有線接続を介して接続されており、
前記制御手段は、前記エントリー装置を介して前記情報を前記放射線撮影装置へ送信し、前記放射線撮影装置で生成された放射線画像を前記無線ＬＡＮを介して受信し、
前記エントリー装置は、前記放射線撮影装置と前記放射線発生装置とを対応付ける対応付け手段を備え、
前記制御手段は、前記対応付け手段により対応づけられた前記放射線発生装置による放射線の照射と、前記放射線撮影装置の駆動とを同期させて制御するように構成されることを特徴とする放射線撮影システム。
【請求項２】
前記制御手段は、前記近接無線通信接続を介して前記エントリー装置から送信された前記情報に基づいて前記無線ＬＡＮに接続されている前記放射線撮影装置の駆動と、前記エントリー装置と対応付けられた前記放射線発生装置の放射線照射と、を同期させるように制御を行うように構成されることを特徴とする請求項１に記載の放射線撮影システム。
【請求項３】
前記エントリー装置は、前記放射線撮影装置と前記無線ＬＡＮとの間での無線通信接続を確立するためのパラメータ情報を前記無線ＬＡＮから取得するために、前記放射線撮影装置と、前記無線ＬＡＮとの間で情報を中継するように構成されることを特徴とする請求項１または２に記載の放射線撮影システム。
【請求項４】
前記エントリー装置は、前記無線ＬＡＮの前記パラメータ情報が更新された場合に、前記更新されたパラメータ情報に基づいて前記放射線撮影装置と前記無線ＬＡＮとの間での無線通信接続を再び確立するように構成されることを特徴とする請求項３に記載の放射線撮影システム。
【請求項５】
前記制御手段は、複数の放射線撮影装置が前記無線ＬＡＮへの接続が可能である場合に、前記無線ＬＡＮに現在接続されている放射線撮影装置を低消費電力モードへ切り替えるように構成され、且つ、前記放射線発生装置と、前記エントリー装置を介して前記無線ＬＡＮへのエントリーを要求した異なる放射線撮影装置と、を同期させるように構成されることを特徴とする請求項１乃至４の何れか１項に記載の放射線撮影システム。
【請求項６】
前記エントリー装置は、前記放射線撮影装置を識別する識別情報を、前記近接無線通信接続を介して前記放射線撮影装置から受信するように構成され、
前記エントリー装置は、前記受信された識別情報を前記無線ＬＡＮに送信するように構成され、
前記エントリー装置は、前記放射線撮影と前記無線ＬＡＮとの間で第１の無線通信手段によって無線通信接続を確立するために使用される、前記放射線撮影装置から受信された前記識別情報に基づいて、前記無線ＬＡＮからパラメータ情報を受信するようにも構成され、
前記エントリー装置は、当該パラメータ情報を前記放射線撮影装置へ送信するようにも構成され、
前記第１の無線通信手段は、前記パラメータ情報に基づいて前記放射線撮影装置と前記無線ＬＡＮとの間での無線通信接続を確立するように構成されることを特徴とする請求項１乃至５の何れか１項に記載の放射線撮影システム。
【請求項７】
前記対応付け手段は、前記近接無線通信接続によってさらに通信された対応付け情報に基づいて、前記放射線撮影装置と前記放射線発生装置とを対応付けることを特徴とする請求項６に記載の放射線撮影システム。
【請求項８】
前記第１の無線通信手段は、前記パラメータ情報が更新された場合に、前記更新されたパラメータ情報に基づいて前記放射線撮影装置と前記無線ＬＡＮとの間での無線通信接続を再び確立することを特徴とする請求項６または７に記載の放射線撮影システム。
【請求項９】
前記第１の無線通信手段は、前記パラメータ情報が更新され且つ変化した場合に、前記更新されたパラメータ情報に基づいて前記放射線撮影装置と前記無線ＬＡＮとの間での無線通信接続を再び確立することを特徴とする請求項６乃至８の何れか１項に記載の放射線撮影システム。
【請求項１０】
前記エントリー装置と前記放射線撮影装置との間で前記近接無線通信接続を確立するための入力手段と、
前記第１の無線通信手段によって無線通信接続が既に確立されている間に前記入力手段が前記近接無線通信接続の処理を初期化した場合に、前記近接無線通信接続の処理を初期化することによって前記エントリー装置を介して前記無線ＬＡＮへのエントリーを要求している放射線撮影装置の識別情報が、前記無線通信接続が既に確立されている放射線撮影装置の識別情報と一致するか否かを判定するように構成される判定手段と、
前記判定手段により一致すると判定された場合に、前記第１の無線通信手段によって前記無線通信接続を再び確立する処理を終了する終了手段と、
をさらに備えることを特徴とする請求項６乃至８の何れか１項に記載の放射線撮影システム。
【請求項１１】
前記制御手段は、無線通信接続が前記放射線撮影装置と前記無線ＬＡＮとの間で再び確立される場合に、前記無線通信接続が再び確立される前に、前記無線ＬＡＮに接続されている前記放射線撮影装置を、通信の休止モードと、切断モードと、低消費電力モードとの何れか１つに切り替えるための命令を発行するように構成され、
無線通信接続が再び確立される前に無線通信接続が確立されている前記放射線撮影装置は、前記命令に基づいて通信の休止モードと、切断モードと、低消費電力モードとの何れか１つに切り替える処理を実行するように構成されることを特徴とする請求項１乃至１０の何れか１項に記載の放射線撮影システム。
【請求項１２】
送信手段と、制御手段とを備える放射線撮影システムの制御方法であって、
前記送信手段が、近接無線通信接続を介して放射線撮影装置から受信された要求に応じて、前記放射線撮影装置を無線ＬＡＮへ接続するために前記近接無線通信接続を介して、放射線発生装置と対応付けられたエントリー装置から前記放射線撮影装置へ情報を送信する工程と、
前記制御手段が、前記放射線発生装置と、前記近接無線通信接続を介して前記エントリー装置から送信された前記情報に基づいて前記無線ＬＡＮと接続している前記放射線撮影装置と、を制御する工程と、を備え、
前記近接無線通信接続は無線ＬＡＮの通信範囲よりも短い通信範囲を有し、
前記制御手段と前記エントリー装置とは有線接続を介して接続されており、
前記制御工程では、前記エントリー装置を介して前記情報を前記放射線撮影装置へ送信し、前記放射線撮影装置で生成された放射線画像を前記無線ＬＡＮを介して受信し、
前記エントリー装置の対応付け手段が、前記放射線撮影装置と前記放射線発生装置とを対応付ける対応付け工程をさらに備え、
前記制御する工程では、前記対応付け工程により対応づけられた前記放射線発生装置による放射線の照射と、前記放射線撮影装置の駆動とを同期させて制御するように構成されることを特徴とする放射線撮影システムの制御方法。
【請求項１３】
請求項１２に記載の放射線撮影システムの制御方法の各工程をコンピュータに実行させるためのプログラム。
【請求項１４】
放射線撮影装置と、
放射線発生装置と対応付けられたエントリー装置と、
前記放射線発生装置と、近接無線通信接続を介して前記エントリー装置から送信された情報に基づいて無線ＬＡＮと接続している前記放射線撮影装置と、を制御する制御手段と、を備え、
前記エントリー装置は、前記近接無線通信接続を介して前記放射線撮影装置から受信された要求に応じて、前記放射線撮影装置を前記無線ＬＡＮへ接続するために、前記近接無線通信接続を介して前記放射線撮影装置へ前記情報を送信するように構成され、
前記近接無線通信接続は、前記無線ＬＡＮの通信範囲よりも短い通信範囲を有し、
前記エントリー装置は、前記放射線撮影装置と前記放射線発生装置とを対応付ける対応付け手段を備え、
前記制御手段は、前記対応付け手段により対応づけられた前記放射線発生装置による放射線の照射と、前記放射線撮影装置の駆動とを同期させて制御するように構成されることを特徴とする放射線撮影システム。
【手続補正２】
【補正対象書類名】明細書
【補正対象項目名】００１０
【補正方法】変更
【補正の内容】
【００１０】
上記の目的を達成する本発明に係る放射線撮影システムは、
放射線撮影装置と、
放射線発生装置と対応付けられたエントリー装置と、
前記放射線発生装置と、近接無線通信接続を介して前記エントリー装置から送信された情報に基づいて無線ＬＡＮと接続している前記放射線撮影装置と、を制御する制御手段と、を備え、
前記エントリー装置は、前記近接無線通信接続を介して前記放射線撮影装置から受信された要求に応じて、前記放射線撮影装置を前記無線ＬＡＮへ接続するために、前記近接無線通信接続を介して前記放射線撮影装置へ前記情報を送信するように構成され、
前記近接無線通信接続は、前記無線ＬＡＮの通信範囲よりも短い通信範囲を有し、
前記制御手段と前記エントリー装置とは有線接続を介して接続されており、
前記制御手段は、前記エントリー装置を介して前記情報を前記放射線撮影装置へ送信し、前記放射線撮影装置で生成された放射線画像を前記無線ＬＡＮを介して受信し、
前記エントリー装置は、前記放射線撮影装置と前記放射線発生装置とを対応付ける対応付け手段を備え、
前記制御手段は、前記対応付け手段により対応づけられた前記放射線発生装置による放射線の照射と、前記放射線撮影装置の駆動とを同期させて制御するように構成されることを特徴とする。
【手続補正３】
【補正対象書類名】明細書
【補正対象項目名】発明の名称
【補正方法】変更
【補正の内容】
【発明の名称】放射線撮影システム、放射線撮影システムの制御方法およびプログラム